(57)【要約】      （修正有）【課題】軽量化及び低コスト化を実現するようにした鏡を提供する。【解決手段】多角形フレームの正面側に鏡板を嵌め込み、多角形フレームの背面に背板を固定して鏡板を受けるようにした鏡において、鏡板の背面には鏡板破損時における破片の飛散防止のためのフィルム１４又は紙を貼り付ける一方、多角形フレーム１１の背面側には少なくともコーナー部に嵌込み段部１１Ａを形成して該嵌込み段部にストッパー板１３を嵌め込んで固定し、このストッパー板によって鏡板を受けられるようにする。【選択図】図１
0003184576.tif 000002
【実用新案登録請求の範囲】
【請求項１】
多角形フレームの正面側に鏡板を嵌め込み、多角形フレームの背面に背板を固定して鏡板を受けるようにした鏡において、
上記鏡板（１２）の背面には鏡板破損時における破片の飛散防止のためのフィルム（１４）又は紙が貼り付けられている一方、
上記多角形フレーム（１１）の背面側には少なくともコーナー部に嵌込み段部（１１Ａ）が形成され、該嵌込み段部（１１Ａ）にはストッパー板（１３）が嵌め込まれて固定され、該ストッパー板（１３）によって上記鏡板（１２）が受けられるようになっていることを特徴とする鏡。
【請求項２】
上記多角形フレーム（１１）が壁掛け式又は立掛け式になっている請求項１記載の鏡。
【請求項３】
上記多角形フレーム（１１）がベースフレーム（２０）に取り付けられて自立式になっている請求項１記載の鏡。
【考案の詳細な説明】
【技術分野】
【０００１】
この考案は鏡に関し、特に軽量化及び低コスト化を実現するようにした例えば壁面鏡に関する。
【背景技術】
【０００２】
最近の生活様式の多様化に伴い、壁掛け式鏡、立掛け式鏡、自立式鏡、キャスター付き鏡など、全高が１．５ｍ程度で多種多様な鏡が実用化され、市場に提供されている。
【０００３】
例えば、左右のサイドバーの間を２本又は１本の連結バーで連結して四角形状又はＨ形状のベースフレームを構成し、このベースフレームの四隅にキャスターを取付けるとともに、左右のサイドバーの中央に支柱を立設し、左右の支柱の上端部に、縦長の鏡体のフレームを取付けねじによって回転可能に取付けるようにした鏡が知られている（特許文献１、特許文献２、特許文献３）。
【０００４】
また、縦長の矩形フレームの正面側に鏡板を嵌め込み、矩形フレームの背面に背板を設けるようにした壁立て掛け式の鏡も知られている（特許文献４）。
【先行技術文献】
【特許文献】
【０００５】
【特許文献１】実用新案登録第３０８０７７８号公報
【特許文献２】実用新案登録第３１４４９５１号公報
【特許文献３】実用新案登録第３１８１５７５号公報
【特許文献４】意匠登録第１４４３５３０号公報
【考案の開示】
【考案が解決しようとする課題】
【０００６】
しかし、特許文献１〜４記載の鏡では矩形フレームの背面側に背板を嵌め込んで鏡板を受け、衝撃などによって鏡板が破損したときに破片が飛散し難くしていたので、鏡が重く、しかもコスト高になっていた。
【０００７】
本考案はかかる問題点に鑑み、軽量化及び低コスト化を実現するようにした鏡を提供することを課題とする。
【課題を解決するための手段】
【０００８】
そこで、本考案に係る鏡は、多角形フレームの正面側に鏡板を嵌め込む一方、多角形フレームの背面に背板を固定して鏡板を受けるようにした鏡において、上記鏡板の背面には鏡板破損時における破片の飛散防止のためのフィルム又は紙が貼り付けられている一方、上記多角形フレームの背面側には少なくともコーナー部に嵌込み段部が形成され、該嵌込み段部にはストッパー板が嵌め込まれて固定され、該ストッパー板によって上記鏡板が受けられるようになっていることを特徴とする。
【０００９】
本考案の特徴の１つは、鏡板の背面にフィルム又は紙を貼り付け、多角形フレームの背面側四隅にストッパー板を嵌め込んで固定し、鏡板を受けるようにした点にある。これにより、壁面鏡を軽くできるとともに、背板に比較して安価なフィルムや紙を使用できることから、低コスト化を実現できる。
【００１０】
多角形フレームの形状は特に限定されず、四角形や五角形その他の多角形を採用することができる。また、多角形フレームの材料には木材、合成樹脂、アルミニウムなどの金属材料などを採用でき、ストッパー板の材料には合板、中密度繊維板（ＭＤＦ）、合成樹脂板、アルミニウムその他の金属板、木板などを採用することができる。
【００１１】
さらに、フィルムには、ポリビニルやポリエチレンなどの合成樹脂フィルム、あるいは紙を使用することができる。
【００１２】
本考案に係る壁面鏡は、多角形フレームに係止凹部や引っ掛け紐を設けて壁掛け式としてもよく、又壁などに立て掛ける立掛け式としてもよい。さらには、多角形フレームをベースフレームの縦支柱部に取付けて自立式としてもよく、又ベースフレームにキャスターを取付けて移動式としてもよい。
【図面の簡単な説明】
【００１３】
【図１】本考案に係る鏡の好ましい実施形態を示す概略背面図である。
【図２】上記実施形態を示す正面図である。
【図３】上記実施形態を示す要部拡大背面図である。
【図４】第２の実施形態を示す概略斜視図である。
【考案を実施するための形態】
【００１４】
以下、本考案を図面に示す具体例に基づいて詳細に説明する。図１ないし図３は本考案に係る壁面鏡の好ましい実施形態を示す。図において、壁面鏡１０は矩形フレーム１１、鏡板１２及びストッパー板１３によって構成され、鏡板１２は縦長の矩形フレーム１１に嵌め込まれ、接着剤やねじなどによって固定されている。
【００１５】
鏡板１２の背面には破損時に破片が飛散するのを防止するためのフィルム１４が貼り付けられている。
【００１６】
また、矩形フレーム１１の背面側には嵌込み段部１１Ａが全周にわたって形成され、矩形フレーム１１の背面側四隅には三角形のストッパー板１３が嵌め込まれ、ねじ１３Ａによって固定されている。
【００１７】
また、矩形フレーム１１の背面上端部には紐１５が取付けられ、壁にもたせ掛けたときに壁面のフックなどに引っ掛けることによって倒れるのを防止するようになっており、こうして立掛け式の壁面鏡が構成されている。
【００１８】
以上のような本例の壁面鏡では鏡板１２の背面にフィルム１４を貼り付け、矩形フレーム１１の背面側四隅にストッパー板１３を嵌め込んで固定し、鏡板１２を受けるようにしたので、背板で鏡板を受ける従来の壁面鏡に比較して壁面鏡を軽くでき、又背板に比較して安価なフィルム１４を使用できるので、低コスト化を実現できる。
【００１９】
図４は第２の実施形態を示す。本例では側面Ｌ字状のベースフレーム２０の支柱２０Ａの間に壁面鏡１０を嵌め込み、ねじ２０Ｂによって固定し、自立式の鏡を構成している。ベースフレーム２０にはキャスターを設けることもできる。
【００２０】
なお、上記の例では鏡板の背面にフィルムを貼り付けたが、紙を貼り付けてもよい。
【符号の説明】
【００２１】
１０      壁面鏡
１１      矩形フレーム
１１Ａ      嵌込み段部
１２      鏡板
１３      ストッパー板
１４      フィルム
２０      ベースフレーム
【図１】
0003184576.tif 000003
【図２】
0003184576.tif 000004
【図３】
0003184576.tif 000005
【図４】
0003184576.tif 000006